(57)【特許請求の範囲】
【請求項１】
ボックスベースと、仕切部材と、前記ボックスベース及び前記仕切部材と係合して基板ボックスを形成するボックスカバーと、前記基板ボックス内に収容される制御基板とを有する遊技機用基板ユニットを備えた遊技機であって、
前記制御基板は、
複数の電子部品を配設した電子部品配設領域と、前記制御基板の側端部に複数の接続用コネクタを並べて配設したコネクタ配設領域とを基板上に備え、
前記ボックスカバーは、
第１封印部と、
前記基板ボックスによって前記制御基板全体を内包した際に前記電子部品配設領域を覆う上側板部と、
該上側板部から前記ボックスベース側に延設される周側部と、
前記コネクタ配設領域に対応する周側部に設けられ、前記基板ボックスによって前記制御基板全体を内包した際に前記仕切部材の一部が前記ボックスカバーより前記基板ボックスの内側となるよう前記仕切部材と係合する第1係合部とを備え、
前記ボックスベースは、
前記第１封印部に対応する第２封印部と、
前記基板ボックスによって前記制御基板全体を内包した際に前記仕切部材の一部が前記ボックスベースより前記基板ボックスの内側となるよう前記仕切部材と係合する第２係合部とを備え、
前記仕切部材は、
前記基板ボックスによって前記制御基板全体を内包した際に前記電子部品配設領域と前記コネクタ配設領域とを区分する仕切部と、
該仕切部に設けられ、前記第1係合部より前記基板ボックスの内側となる仕切部側係合部と、
前記コネクタ配設領域の基板面を覆うと共に、前記複数の接続用コネクタに対応させて形成された複数のコネクタ挿通口を有するカバー部と、
該カバー部に設けられ、前記第２係合部より前記基板ボックスの内側となるカバー部側係合部とを備え、
連結部材によって前記ボックスカバーに対して分離不能に固定されると共に前記制御基板に対しても分離不能に固定されるものであり、
前記基板ボックスは、
前記制御基板全体を内包した状態で前記ボックスカバーの前記第１封印部と前記ボックスベースの前記第２封印部とを封印具によって封止することを特徴とする遊技機用基板ユニットを備えた遊技機。
【発明の詳細な説明】
【０００１】
【発明の属する技術分野】
本発明は制御基板を収納することができる遊技機用基板ユニットを備えた遊技機に関するものである。
【０００２】
【従来の技術】
近年、パチンコ機およびスロットマシーン等の遊技機は、遊技盤に設けられる入賞装置および表示装置等を制御して遊技の興趣を盛り上げるものが主流となっている。この入賞装置および表示装置の制御はＩＣ，ＬＳＩ等の多数の電子部品を配設したロジック制御回路基板またはマイクロコンピュータを有する制御回路基板により行われ、この制御回路基板はボックスベースおよびボックスカバーを備えた基板ボックスに被包されている。
【０００３】
この基板ボックスを用いて制御回路基板を被包することにより、制御回路基板への接触行為等の不正行為が防止されるが、基板ボックスには制御回路基板のコネクタに接続される配線ケーブルを導出する導出口を穿設しなければならず、かかる導出口から基板ボックスに被包された制御回路基板に接触することができるため、制御回路基板への不正行為を充分に防止することができなかった。
【０００４】
そこで、導出口を閉鎖する仕切板（側壁板）を用いて制御回路基板への接触行為を防止する方法が提案されている。この方法は、制御回路基板上のコネクタ位置より内側位置に仕切板を立設することにより、制御回路基板のコネクタ位置より内側に搭載された電子部品等への接触が防止されるとともに、導出口を介して制御回路基板上のコネクタに配線ケーブルを接続することができるのである。
【０００５】
【０００６】
【発明が解決しようとする課題】
しかしながら、仕切板とボックスカバー、或いは仕切板と制御回路基板との間に隙間があると、かかる隙間から不正行為が行われるという問題点があった。
【０００７】
本発明は上述した問題点を解決するためになされたものであり、ボックスカバー、仕切部材および制御基板の各部品間に隙間をでき難くして、その隙間からの不正行為を防止することができる遊技機を提供することを目的としている。
【０００８】
【課題を解決するための手段】
この目的を達成するために請求項１記載の遊技機は、ボックスベースと、仕切部材と、前記ボックスベース及び前記仕切部材と係合して基板ボックスを形成するボックスカバーと、前記基板ボックス内に収容される制御基板とを有する遊技機用基板ユニットを備えており、前記制御基板は、複数の電子部品を配設した電子部品配設領域と、前記制御基板の側端部に複数の接続用コネクタを並べて配設したコネクタ配設領域とを基板上に備え、前記ボックスカバーは、第１封印部と、前記基板ボックスによって前記制御基板全体を内包した際に前記電子部品配設領域を覆う上側板部と、該上側板部から前記ボックスベース側に延設される周側部と、前記コネクタ配設領域に対応する周側部に設けられ、前記基板ボックスによって前記制御基板全体を内包した際に前記仕切部材の一部が前記ボックスカバーより前記基板ボックスの内側となるよう前記仕切部材と係合する第1係合部とを備え、前記ボックスベースは、前記第１封印部に対応する第２封印部と、前記基板ボックスによって前記制御基板全体を内包した際に前記仕切部材の一部が前記ボックスベースより前記基板ボックスの内側となるよう前記仕切部材と係合する第２係合部とを備え、前記仕切部材は、前記基板ボックスによって前記制御基板全体を内包した際に前記電子部品配設領域と前記コネクタ配設領域とを区分する仕切部と、該仕切部に設けられ、前記第1係合部より前記基板ボックスの内側となる仕切部側係合部と、前記コネクタ配設領域の基板面を覆うと共に、前記複数の接続用コネクタに対応させて形成された複数のコネクタ挿通口を有するカバー部と、該カバー部に設けられ、前記第２係合部より前記基板ボックスの内側となるカバー部側係合部とを備え、連結部材によって前記ボックスカバーに対して分離不能に固定されると共に前記制御基板に対しても分離不能に固定されるものであり、前記基板ボックスは、前記制御基板全体を内包した状態で前記ボックスカバーの前記第１封印部と前記ボックスベースの前記第２封印部とを封印具によって封止するものである。
【０００９】
【００１０】
【発明の実施の形態】
以下、本発明の好ましい実施例について、添付図面を参照して説明する。図１は、本発明の遊技機用基板ボックスの一実施例である基板ボックス２を有するボックスユニット１の分解斜視図であり、図２は、ボックスユニット１の配設された遊技機の一種であるパチンコ機９０の裏面の部分断面図である。図３は、図２のＩＩＩ−ＩＩＩ線における平面部分断面図であり、図４は、図２のＩＶ−ＩＶ線におけるボックスユニット１を分解した平面断面図である。図５は、図３のＶ−Ｖ線におけるボックスユニット１の裏面部分図である。尚、図３に示す２点鎖線は、連接板８を介してボックスユニット１が回転された状態を図示している。
【００１１】
図１に示すように、ボックスユニット１は、遊技機の一種であるパチンコ機９０（図２参照）の遊技内容に関する制御プログラムやデータを記憶した制御用ＲＯＭ等の電子部品（制御部品）が搭載された制御回路基板６を被包して封印するためのものである。このボックスユニット１は、主に、基板ボックス２と、取付部材５とを備え、図２に示すパチンコ機９０の遊技盤９１の裏面に設けられた入賞球集合カバー９２に取り付けられている。尚、図１では、制御用ＲＯＭ等の電子部品は省略して図示している。
【００１２】
図１に示すように、基板ボックス２は、ボックス本体３と、そのボックス本体３に覆設されるボックス蓋体４とを備え、透明な高分子樹脂等で構成されている。このボックス本体３およびボックス蓋体４は、いずれも略矩形皿状に形成されており、制御回路基板６をボックス本体３内に収納した状態で、互いの開口面を対向させ合致（合体）させることにより、制御回路基板６を基板ボックス２内に被包することができる。
【００１３】
ボックス本体３の左右両側壁外面には４つの中空円柱状の封印部材３１がそれぞれ配設され、ボックス蓋体４の左右両側壁外面には各封印部材３１に対応して４つの中空円柱状の封印部材４１がそれぞれ配設されている。この各封印部材３１，４１は制御回路基板６への不正行為を防止するため基板ボックス２を封印する部材であり、ボックス本体３の各封印部材３１には封印ねじ７１の螺入されるナット部材７２と、そのナット部材７２に螺入された封印ねじ７１を係止する係止座金７３とがそれぞれ設置される。尚、封印ねじ７１は互いに対向する一対の封印部材３１，４１内に螺入され両者を連結する部材である。
【００１４】
この各封印部材３１，４１により基板ボックス２を封印する場合、制御回路基板６をボックス本体３内に収納した状態で、ボックス本体３にボックス蓋体４を覆設して、各封印部材３１，４１を対向させて当接する（図３参照）。各封印部材３１，４１の当接後、ボックス蓋体４右側壁面の最後側に配設された封印部材４１およびボックス蓋体４左側壁面の最前側に配設された封印部材４１に封印ねじ７１をそれぞれ挿入し、これらの封印ねじ７１を各封印部材３１内に設置されたナット部材７２へ螺入し続ける。この封印ねじ７１の螺入が完了すると、封印部材３１内の係止座金７３によって封印ねじ７１が抜き取り不可能な状態で係止される。その結果、封印ねじ７１により封印部材３１と封印部材４１とが連結されて、基板ボックス２を封印することができる。
【００１５】
尚、図３に示すように、封印部材３１の側面部には封印ねじ７１と同一種類の予備用封印ねじ７４を保持することができる。各予備用封印ねじ７４は各封印部材４１と一体に形成された平板状の押さえ板４１ａの一側面と当接しつつ各封印部材３１に保持されるので、各予備用封印ねじ７４が各封印部材３１から外れ落ちることを防止することができる。また、各予備用封印ねじ７４に当接する各押さえ板４１ａの側面は突出物のない平面状に形成されているので、ボックス蓋体４をボックス本体３に対してスライドさせる場合に、予備用封印ねじ７４のボックス本体３側端部に押さえ板４１ａが引っかかることなく当接させることができる。
【００１６】
また、図１に示すように、ボックス本体３の後側壁外面の上方には、ボックス本体３の長手方向に略等間隔で４つの枠状の係合枠３７がボックス本体３の外方へ向けて突設されている。この各係合枠３７は略同一形状にそれぞれ形成されており、その上面にはボックス蓋体４の後側壁面に突設された４つの係合部材４３を挿入するための挿入口３７ａがそれぞれ穿設されている。ボックス蓋体４の各係合部材４３は、その各先端部分が側面視Ｊ字形にそれぞれ屈曲され、上述した各係合枠３７に対応しつつ略等間隔で隣接配置されている。この各係合部材４３の長手方向幅は各挿入口３７ａの長手方向幅より幅狭に形成されており、各係合部材４３が各係合枠３７の挿入口３７ａに挿入された場合に、挿入穴３７ａおよび係合部材４３の長手方向幅の差分長さだけ、ボックス本体３に対してボックス蓋体４をその長手方向（図７中、矢印Ａ方向）へスライドさせることができる。
【００１７】
次に、図１、図６および図７を参照して、ボックス本体３内に形成された基板支持部材３８および基板保持部材３９について説明する。尚、図６は、ボックス本体３の底部３５の左縁部分の拡大部分断面図であり、図７は、図２のＶＩＩ−ＶＩＩ線における側断面図である。また、図７では、制御回路基板６および取付部材５を省略して図示し、図７中の矢印Ａはボックス蓋体４のスライド方向を図示している。
【００１８】
図１および図７に示すように、基板支持部材３８は、底部３５の右側縁部分および左縁部分にそれぞれ１つずつ突設されるとともに、底部３５の後側縁部分に２つ突設されている。これらの４つの基板支持部材３８は、略矩形状にそれぞれ形成されている。これらの各基板支持部材３８は、制御回路基板６の下面を支持するものであり、図６に示すように、矩形柱状に形成された基部３８ａと、その基部３８ａの上端面に一体形成された傾斜部３８ｂとを備えている。この各基部３８ａの高さ、即ち、底部３５上面から各基部３８ａの上端面までの長さは、略同一長さに形成されており、各基部３８ａの上端面と制御回路基板６の下面とが当接した場合に、制御回路基板６をガタつかせることなく、水平状態で支持することができる。また、制御回路基板６は各基部３８ａによって底部３５の上方に支持されるので、制御回路基板６の下面とボックス本体３の底部３５との当接を防止することができる。
【００１９】
各基板支持部材３８の傾斜部３８ｂは、ボックス蓋体４に穿設された各通穴４５と、後述する仕切板６５に凹設された各ねじ穴６５ｂとを対向させつつ合致させるためのものである。この各傾斜部３８ｂは、ボックス本体３の底部３５側へ向けて隆起しつつ下降傾斜するテーパ面（傾斜面）を有しており、制御回路基板６をボックス本体３内部に位置決めすることができる。即ち、ボックス本体３へ制御回路基板６を収納する場合に、その縁部分を各傾斜部３８ｂのテーパ面に当接させつつ、ボックス本体３へ制御回路基板６を押し込むと、かかるテーパ面を介して、制御回路基板６がボックス本体３の前方向および左右方向へスライドするのである。その結果、制御回路基板６がボックス本体３に対して前後方向および左右方向に位置決めされ、仕切板６５の各ねじ穴６５ｂはボックス蓋体４の各通穴４５に対向しつつ合致する。このように、各通穴４５および各ねじ穴６５ｂを正確に合致させることにより、木ねじ等のねじ部材Ｂ１を各通穴４５へそれぞれ挿入して、各ねじ穴６５ｂへ容易にねじ込むことができるとともに、ねじ部材Ｂ１の無理なねじ込みによるボックス蓋体４や仕切板６５の破損を防止することができる（図４参照）。
【００２０】
また、図６に示すように、ボックス本体３の底部３５後縁左端部には基板保持部材３９が配設されており、図７に示すように、底部３５の後縁右端部にも同様に、基板保持部材３９が配設されている。これらの基板保持部材３９は、それぞれ略同一形状に形成されており、基板支持部材３８とともに制御回路基板６を支持しボックス本体３に固定するためのものである。各基板保持部材３９は略中空円柱状に形成された基部３９ａを備え、その上端面には、制御回路基板６に穿設された各通穴６４に対向して、ねじ穴３９ｃがそれぞれ凹設されている。よって、この各ねじ穴３９ｃへ木ねじ等のねじ部材Ｂ２をねじ込むことにより、制御回路基板６をボックス本体３内に固定することができる。
【００２１】
各基部３９ａの高さ、即ち、底部３５上面から各基部３９ａの上端面までの長さは略同一長さにそれぞれ形成されている。よって、各基板支持部材３８の基部３８ａとともに制御回路基板６を支持する場合に、制御回路基板６をガタつかせることなく、水平状態で支持することができる。
【００２２】
この各基板保持部材３９の基部３９ａの上端面には２つの傾斜部３９ｂがそれぞれ一体形成されている。この各傾斜部３９ｂは、ボックス蓋体４の各通穴４５と、仕切板６５の各ねじ穴６５ｂとを対向させつつ合致させるためのものであり、ボックス本体３の底部３５へ向けて隆起しつつ下降傾斜するテーパ面（傾斜面）を有し、制御回路基板６をボックス本体３の所定位置に正確に位置決めすることができる。即ち、ボックス本体３へ制御回路基板６を収納する場合に、その縁部分を各基板保持部材３９の各傾斜部３９ｂのテーパ面に当接させつつ、ボックス本体３へ制御回路基板６を押し込むと、かかるテーパ面を介して、制御回路基板６がボックス本体３の前方向および左右方向へスライドするのである。
【００２３】
その結果、制御回路基板６がボックス本体３に対して、前後方向および左右方向に位置決めされ、仕切板６５の各ねじ穴６５ｂはボックス蓋体４の各通穴４５に対向しつつ合致する。このように、各通穴４５および各ねじ穴６５ｂを正確に合致させることにより、ねじ部材Ｂ１を各通穴４５へそれぞれ挿入して、各ねじ穴６５ｂへ容易にねじ込むことができるとともに、ねじ部材Ｂ１の無理なねじ込みによるボックス蓋体４や仕切板６５の破損を防止することができる。
【００２４】
次に、図１および図７を参照して、ボックス蓋体４のスライドを補助する部材について説明する。図１に示すように、ボックス本体３の左側壁上面には矩形状に切り欠かれた係合溝３ａが一直線状に凹設されており、ボックス本体３の後側壁および右側壁の上面には矩形板状の係合壁３ｂが上方へ向けて略Ｌ字状に突設されている。また、図７に示すように、ボックス蓋体４の左側壁下面には矩形板状の係合壁４ａが下方へ向けて一直線状に突設されており、この係合壁４ａはボックス本体３の係合溝３ａに係合可能に形成されている。また、ボックス蓋体４の後側壁および右側壁の下面には矩形状に切り欠かれた係合溝４ｂが略Ｌ字状に凹設されており、この係合溝４ｂはボックス本体３の係合壁３ｂに係合可能に形成されている。
【００２５】
このため、図７に示すように、ボックス本体３に覆設されたボックス蓋体４を矢印Ａ方向へスライドさせた場合に、係合溝３ａ，４ｂに対して係合壁４ａ，３ｂが係合するので、ボックス蓋体４が矢印Ａ方向へ更にスライドすること防止することができる。また、ドライバー等の先端部分が挿入され、ボックス本体３とボックス蓋体４との当接面の間隙が広げられても、かかる間隙を係合壁４ａ，３ｂにより塞ぐことができる。よって、ドライバー等による基板ボックス２の不正な開放行為が防止されるので、制御回路基板６への不正行為を防止することができる。更に、ボックス蓋体４をボックス本体３に対して矢印Ａ方向へスライドさせる場合に、ボックス本体３の後側壁に突設された係合壁３ｂがボックス蓋体４の後側壁に凹設された係合溝４ｂに合致しつつボックス蓋体４がスライドするので、ボックス蓋体４をスライド方向へガイドすることができる。
【００２６】
また、図７に示すように、ボックス本体３の右側壁外面およびボックス蓋体４の左側壁外面には矩形板状のロック板３ｃ，４ｃが突設されており、ボックス本体３の左側壁外面およびボックス蓋体４の右側壁外面にはロック板４ｃ，３ｃが係合される矩形平板状の係合板３ｄ，４ｄが配設されている。この係合板３ｄ，４ｄにはロック板４ｃ，３ｃが挿入可能な挿入口３ｅ，４ｅが穿設されており、ボックス蓋体４を矢印Ａ方向へスライドさせると、かかる挿入口３ｅ，４ｅへロック板４ｃ，３ｃをそれぞれ挿入することができる。その結果、ロック板４ｃ，３ｃおよび係合板３ｄ，４ｄが係合され、ボックス本体３およびボックス蓋体４を結合することができる。
【００２７】
尚、封印部材３１と封印部材４１との当接面、ロック板３ｃとボックス蓋体４の側壁との当接面、および、ロック板４ｃとボックス本体３との当接面は、略同一平面上にあるので、ボックス蓋体４を矢印Ａ方向へスライドさせる場合に、滑らかに支障なくスライドさせることができる。
【００２８】
図１に示すように、ボックス蓋体４の上面には２つの略矩形状の凹部４４が凹設されており、その一部にはねじ部材Ｂ１が挿入される通穴４５がそれぞれ穿設されている。各凹部４４は封印シールを貼付するための部分であり、封印シールが貼付された場合に、封印シールがボックス蓋体４の上面より一段低い部分に貼付されることとなるので、貼付された封印シールが何かに引っかかり剥がれてしまうことが防止され、封印シールを位置決めしつつ貼付することができる。
【００２９】
尚、封印シールは、特殊な粘着部が塗布されたシール材で構成されており、この封印シールが貼付された後に剥がされると、シール材から粘着部が剥がれてしまう。よって、一度剥がされた封印シールを再度貼付することができないので、封印シールが不正に剥がされた場合には、かかる不正行為を容易に発見することができるのである。
【００３０】
この各凹部４４に穿設された各通穴４５は、制御回路基板６に取着された仕切板６５の上面に凹設された２つのねじ穴６５ｂに対応して穿設されており、ボックス本体３の基板支持部材３８および基板保持部材３９によって各ねじ穴６５ｂに対向しつつ合致される。よって、各通穴４５へそれぞれ挿入されたねじ部材Ｂ１は各ねじ穴６５ｂへ容易にねじ込まれるので、ねじ部材Ｂ１の無理なねじ込みによるボックス蓋体４や仕切板６５の破損を防止することができる。
【００３１】
また、各凹部４４に貼付される封印シールはボックス本体３に跨って貼付され、基板ボックス２の開封を防止するように貼付される。この場合、各封印シールは各通穴４５に覆い被さるように貼付されるので、各通穴４５に挿入されたねじ部材Ｂ１の抜き取り行為を防止することができる。更に、各封印シールはロック板３ｃ，４ｃが係合された係合板４ｄ，３ｄに跨って貼付される。よって、各封印シールを剥がさずに、基板ボックス２を開封するには、各封印シールを３カ所ずつ切断する必要がある。即ち、一方の封印シールについては図７に示す係合板４ｄの下端部分と挿入口４ｅに挿入されたロック板３ｃの上下端面部分の３カ所を、また、他方の封印シールについては係合板３ｄの上端部分と挿入口３ｅに挿入されたロック板４ｃの上下端面部分の３カ所を切断しなければならない。よって、基板ボックス２を不正に開封し、かかる開封行為を隠蔽する場合、封印シールの複数の切断箇所を接合する必要があり、隠蔽作業を容易に行うことができない。その結果、基板ボックス２の不正な開封行為を防止することができる。
【００３２】
次に、基板ボックス２のボックス本体３を取付部材５に取り付ける（結合する）ために、ボックス本体３に設けられた各部材について説明する。まず、ボックス本体３の後側壁面の下方部分には、ボックス本体３の外方へ向けて、２つの略矩形状の突部３２が突設されている。これらの突部３２は、取付部材５の後側縁部分に穿設された２つの穴部５２に挿入可能に形成されており、各突部３２を各穴部５２に挿入することにより、ボックス本体３の後側壁面を取付部材５の後側縁部分に係止することができる。また、ボックス本体３の前側壁面、即ち、各突部３２の突設面に対向する側壁面には矩形状に開口された切欠部３３が形成されており、切欠部３３の上部端面は取付部材５に形成された２つの係止爪５３により係止される。
【００３３】
ボックス本体３の底部３５の下面、即ち、ボックス本体３の取付部材５側の面には、ボックス本体３の外方へ向けて、略矩形状の係合爪３４が突設されている。この係合爪３４は、取付部材５の係合穴５４に係合可能に形成されており、ボックス本体３および取付部材５が結合された場合に、ボックス本体３の取付部材５に対する相対的なスライドを抑制するためのものである。尚、ボックス本体３と取付部材５との結合方法については後述する。
【００３４】
切欠部３３は、また、ボックス蓋体４がボックス本体３に覆設された場合に、基板ボックス２の一側壁に導出口２１を形成する（図３参照）。よって、その導出口２１を介して基板ボックス２内に収納された制御回路基板６の雄型コネクタ６１に接続されたアース線６２やフラットケーブル６３を基板ボックス２から導出させることができる。
【００３５】
また、ボックス蓋体４の上面には、基板ボックス２と取付部材５とを結合する場合の基板ボックス２のスライド方向を表示した方向表示４２が形成されており、この方向表示４２の示す方向へ基板ボックス２をスライドさせることにより、基板ボックス２を取付部材５に結合することができる。尚、この方向表示４２は、ボックス蓋体４の成形と同時に型枠を用いて形成される。
【００３６】
図５に示すように、ボックス本体３の底部３５外面には、基板ボックス２のボックス本体３を取付部材５から取り外すための操作方法を表示した操作表示３６が設けられている。例えば、本実施例の操作表示３６によれば、「ＰＵＳＨ」の表示と、矢印の表示を有している。この操作表示３６の「ＰＵＳＨ」の表示は、基板ボックス２を取付部材５から取り外す場合に、その「ＰＵＳＨ」の表示部分を押圧しなければならない旨を指示している。また、矢印の表示は、基板ボックス２を取付部材５から取り外す場合に、基板ボックス２を矢印の方向へスライドさせなければならない旨を指示している。
【００３７】
この操作表示３６はボックス本体３の成形と同時に型枠を用いて凸状に形成される。よって、係合爪３４および係合穴５４の係合状態を解除する場合に、操作表示３６に指を押し当て基板ボックス２をスライドさせると、指先が操作表示３６に引っかかり指の滑りを防止することができる。
【００３８】
次に、図１を参照して、上述した基板ボックス２が結合される取付部材５について説明する。この取付部材５は導電性を有する薄板状の金属材料、例えば、薄板鋼材等で構成されており、ボックス本体３の底部３５が嵌合可能な薄皿状の主板５１を備えている。この主板５１上面の面積は基板ボックス２に収納される制御回路基板６と略同一面積となるように形成されているので、基板ボックス２の外部からの電気的ノイズを確実に除去することができる。また、主板５１の縁部分には周囲板５６が周設されており、その周囲板５６の後側縁部分および主板５１に跨った部分には２つの矩形状の穴部５２が穿設されている。これらの穴部５２は上述したボックス本体３に突設された各突部３２に対応して穿設されており、かかる各突部３２は各穴部５２へ挿入され係止される。取付部材５の前側縁部分に形成された周囲板５６の上端部分には、２つの係止爪５３が一体形成されている。この各係止爪５３は側面視略コ字状に形成されており、各係止爪５３内にボックス本体３の切欠部３３が填め込まれる（図３参照）。
【００３９】
取付部材５の主板５１の略中央部分には、矩形状の係合穴５４が穿設されており、この係合穴５４にボックス本体３に突設された係合爪３４が係合されるのである。即ち、この係合穴５４に上述した係合爪３４を係合させるためには、まず、基板ボックス２を傾けた状態で、基板ボックス２のボックス本体３に突設された各突部３２を取付部材５の各穴部５２へ挿入した後、ボックス本体３の底部３５の下面と取付部材５の主板５１の上面とを当接させつつ、ボックス本体３を切欠部３３側へとスライドさせる（図４参照）。ボックス本体３のスライドに伴って、ボックス本体３の切欠部３３が取付部材５の各係止爪５３に係止され、更に、ボックス本体３の底部３５の下面の係合爪３４が取付部材５の係合穴５４に係合される（図３参照）。図３に示すように、係合爪３４および係合穴５４が係合されると、係合穴５４および係合爪３４によって、ボックス本体３の矢印Ｄ方向へのスライドが抑制されるので、基板ボックス２のボックス本体３と取付部材５とを確実に結合することができる。
【００４０】
この係合爪３４および係合穴５４の係合の解除により、基板ボックス３および取付部材５の結合を解除することができるが、図３に示すように、ボックスユニット１は、通常、ボックスユニット１の係合爪３４および係合穴５４が遊技盤９１や入賞球集合カバー９２に対向した状態で、入賞球集合カバー９２に取り付けられるので、ボックスユニット１を反転させなければ係合爪３４および係合穴５４は見ることができない。よって、パチンコ機９０の検査等を行う場合に、係合爪３４および係合穴５４の不用意な操作が防止され、基板ボックス２と取付部材５との結合状態を誤って解除してしまうことを防止することができるのである。
【００４１】
図１に示すように、取付部材５の右側端部分に設けられた周囲板５６には接続端子５５が形成されており、この接続端子５５は、雄型コネクタ６１等を介して制御回路基板６に接続されたアース線６２の一端をネジ止めにより接続することができる。取付部材５の主板５１の下面には、後述する連接板８を取付部材５に取り付けるための２つの軸受部５７が形成されており、これらの軸受部５７には、連接板８の２本の取付ピン８１がそれぞれ回動可能に支持される。また、取付部材５の左右縁部分には、下方へ向けて取付片５８がそれぞれ形成されている。この各取付片５８を入賞球集合カバー９２に配設された留め具（図示せず）によって係止することにより、連接板８によるボックスユニット１の回動を防止することができる。
【００４２】
図２に示すように、ボックスユニット１の取付部材５の裏面には連接板８が取り付けられている。この連接板８は、正面視長板状に形成されたヒンジ部材であり、４本の取付ピン８１を備えている。この各取付ピン８１のうち２本の取付ピン８１は連接板８の右側端部分に突設されており、その他の２本の取付ピン８１は連接板８の左側端部分に突設されている。連接板８の右側端部分（図２中、右側）に突設された２本の取付ピン８１は、取付部材５に設けられた２つの軸受部５７に回動可能にそれぞれ支持されている。また、連接板８の左側端部分（図２中、左側）に突設される各取付ピン８１は、入賞球集合カバー９２に突設された各軸受部９２ａに回動可能にそれぞれ差し込まれる。よって、ボックスユニット１は、連接板８により入賞球集合カバー９２に対して回動可能に配設されるのである。
【００４３】
尚、連接板８の入賞球集合カバー９２の各軸受部９２ａに差し込まれた各取付ピン８１は、それぞれ各軸受部９２ａに対して着脱可能に形成されているので、ボックスユニット１を入賞球集合カバー９２から取り外して検査することもできる。また、連接板８は、遊技盤９１の裏面に直に取り付けても良い。
【００４４】
図１に示すように、制御回路基板６は矩形薄板状に形成されており、その後縁部分の両端部分には通穴６４がそれぞれ穿設されている。上述したように、各通穴６４は各基板保持部材３９のねじ穴３９ｃに対応してそれぞれ穿設されている。また、制御回路基板６の前側縁部分には複数（５個）の雄型コネクタ６１が隣接配置されている。このうち、制御回路基板６の右端の雄型コネクタ６１には、アース線６２の一端に配設された雌型コネクタ６２ａが嵌合されている。このアース線６２の他端は取付部材５の接続端子５５にネジ止めにより接続されている。この接続端子５５が形成された取付部材５は導電性を有する金属材料（薄板鋼材等）で構成されているので、制御回路基板６に搭載された電子部品の誤動作の原因となる電気的ノイズを除去することができる。また、他の雄型コネクタ６１には、フラットケーブル６３の一端に配設された雌型コネクタ６３ａが嵌合される。尚、図１では、制御回路基板６に搭載される各種電子部品の図示を省略し、アース線６２およびフラットケーブル６３の一部を省略して図示している。また、図１では、図面の簡略化のため、３個の雄型コネクタ６１にそれぞれ接続される３つのフラットケーブル６３の図示を省略している。
【００４５】
制御回路基板６には透明高分子樹脂等で構成された仕切板６５がネジ止めによって取着されている。この仕切板６５は制御回路基板６に対して略垂直に取着されており、ボックス本体３とボックス蓋体４とを合体させた場合に、基板ボックス２の内外部を仕切ることができる。よって、基板ボックス２の外部からの制御回路基板６への接触行為を防止することができるのである。また、図１に示すように、仕切板６５の制御回路基板６側の端部分には、各雄型コネクタ６１に対応して５つの矩形状のコネクタ穴部６５ａが穿設されている。よって、雄型コネクタ６１を回避して仕切板６５を制御回路基板６に取着することができる。
【００４６】
仕切板６５上面の長手方向両端部には、ねじ部材Ｂ１がねじ込まれるねじ穴６５ｂがそれぞれ凹設されている。この各ねじ穴６５ｂは、ボックス蓋体４と仕切板６５とを連結するためのものであり、ボックス蓋体４の上面に穿設された２つの通穴４５に対応して穿設されている。この各ねじ穴６５ｂへねじ部材Ｂ１をねじ込む場合、ボックス本体３の各基板支持部材３８および基板保持部材３９によって制御回路基板６がボックス本体３内に位置決めされることにより、各ねじ穴６５ｂおよび各通穴４５をそれぞれ対向して合致することができる。よって、ねじ部材Ｂ１を各通穴４５を介して各ねじ穴６５ｂへ容易にねじ込むことができるとともに、ねじ部材Ｂ１の無理なねじ込みによるボックス蓋体４や仕切板６５の破損を防止することができる。
【００４７】
次に、図１および図７を参照して、制御回路基板６の基板ボックス２への収納方法について説明する。まず、図１に示すように、制御回路基板６の前側縁部分に仕切板６５をねじ止め等によって取着した後、その制御回路基板６の仕切板６５取着面側をボックス本体３の底部３５側方向へ押し込みつつ、制御回路基板６をボックス本体３内部へ収納すると、ボックス本体３の底部３５に突設された各基板支持部材３８および各基板保持部材３９の傾斜部３８ｂ，３９ｂのテーパ面を介して、制御回路基板６がボックス本体３の前後方向および左右方向に位置決めされる。制御回路基板６の位置決め後、制御回路基板６の各通穴６４と各基板保持部材３９のねじ穴３９ｃとがねじ部材Ｂ２によりねじ止めされて、制御回路基板６がボックス本体３内に固定される。制御回路基板６の固定後、ボックス蓋体４の各係合部材４３の先端部分をボックス本体３の各係合枠３７の挿入口３７ａへ挿入し、各係合枠３７と係合部材４３とを係合させると、図７に示すように、ボックス本体３の上方にボックス蓋体４が覆設される。
【００４８】
ボックス蓋体４の覆設後、図７に示すように、ボックス蓋体４をボックス本体３に対して矢印Ａ方向へスライドさせると、ロック板３ｃ，４ｃが係合板４ｄ，３ｄの挿入口４ｅ，３ｅにそれぞれ挿入される。かかるロック板３ｃ，４ｃの挿入を続けると、係合溝３ａ，４ｂおよび係合壁４ａ，３ｂが合致しつつ係合し、ロック板３ｃ，４ｃおよび係合板４ｄ，３ｄが係合されてボックス本体３とボックス蓋体４とが結合される。このように、ボックス本体３とボックス蓋体４とが結合されると、ボックス蓋体４に穿設された各通穴４５と仕切板６５に凹設された各ねじ穴６５ｂとが対向しつつ合致する。その後、各通穴４５を介して仕切板６５の各ねじ穴６５ｂへねじ部材Ｂ１をねじ込み、その後、ボックス本体３、ロック板３ｃ，４ｃ、係合板３ｄ，４ｄおよびボックス蓋体４の凹部４４に跨るようにして、ボックス蓋体４の各凹部４４に封印シールをそれぞれ貼付する。その後、封印部材３１，４１を封印ねじ７１によって連結することにより、制御回路基板６が基板ボックス２により被包されて、基板ボックス２が封印されるのである（図３参照）。
【００４９】
次に、図１、図３および図４を参照して、基板ボックス２および取付部材５の結合方法について説明する。まず、図４に示すように、制御回路基板６を基板ボックス２により被包した後、基板ボックス２の各突部３２を取付部材５の各穴部５２へ挿入する。各突部３２の挿入後、基板ボックス２を矢印Ａ方向へ回転させて、ボックス本体３の底部３５の外面を取付部材５の主板５１に当接させる。基板ボックス２と取付部材５との当接後、基板ボックス２を矢印Ｂ方向へスライドさせると、基板ボックス２の右側壁面と取付部材５の右側縁部分の周囲板５６とが当接し、各突部３２が穴部５２に挿入された状態のまま、ボックス本体３の切欠部３３が係止爪５３に填め込まれて係止される。その結果、基板ボックス２と取付部材５とが結合される（図３参照）。このように、基板ボックス２および取付部材５が結合されると、図３に示すように、ボックス本体３の裏面に突設された係合爪３４の左側壁面が取付部材５の係合穴５４の左側壁面に当接して、係合爪３４が係合穴５４に係合されるので、基板ボックス２の矢印Ｄ方向へのスライドが抑制され、かかる結合が維持される。
【００５０】
次に、図３を参照して、基板ボックス２および取付部材５の結合状態の解除方法について説明する。この結合状態を解除する場合には、パチンコ機９０の入賞球集合カバー９２に配設された留め具（図示せず）によるボックスユニット１の係止を解除した後、係合爪３４および係合穴５４の係合状態を解除する必要がある。この係合状態の解除は、ボックスユニット１の裏面側、即ち、取付部材５側からボックス本体３の底部３５の外面を係合穴５４を介して矢印Ｃ方向へ押圧しつつ、ボックス本体３を矢印Ｄ方向へスライドさせることにより行われる。係合爪３４および係合穴５４の係合が解除されると、係止爪５３による切欠部３３の係止が解除される。その後、図４の反矢印Ａ方向へ基板ボックス２を回転させて、各突部３２を各穴部５２から引き抜くことにより、基板ボックス２が取付部材５から取り外される。
【００５１】
しかしながら、図３に示すように、ボックスユニット１は、通常、ボックスユニット１の係合爪３４および係合穴５４が遊技盤９１や入賞球集合カバー９２に対向した状態で、入賞球集合カバー９２に取り付けられるので、そのままの状態では係合穴５４を介してボックス本体３の底部３５外面を押圧することができず、係合爪３４および係合穴５４の係合状態を解除することができない。このため、ボックスユニット１を連接板８を介して反時計方向へ回転させて、図３中の２点鎖線の位置へ移動させた後、係合爪３４および係合穴５４の係合状態の解除が行われる。
【００５２】
このように、係合爪３４および係合穴５４の係合状態を解除して、基板ボックス２および取付部材５の結合状態を解除するには、ボックスユニット１を連接板８を介して反時計方向へ回転させて、図３中の２点鎖線の位置へ移動させなければならない。よって、パチンコ機９０の検査等を行う場合に、係合爪３４および係合穴５４の係合状態が不用意に解除されることが防止され、基板ボックス２と取付部材５との結合状態を誤って解除してしまうことを防止することができる。
【００５３】
また、上述した操作表示３６は取付部材５の係合穴５４の穿設位置に対応してボックス本体３に形成されているので、基板ボックス２と取付部材５とが結合されても、取付部材５の係合穴５４を介して操作表示３６を容易に視認することができる。また、基板ボックス２と取付部材５とが結合された場合に、操作表示３６、係合爪３４および係合穴５４は、ボックスユニット１の同一面に形成されているので、操作表示３６を参照しつつ、係合爪３４および係合穴５４の係合解除を行って、ボックス本体３を取付部材５から取り外すことができる。
【００５４】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５５】
例えば、本実施例では、取付部材５を導電性を有する金属材料である薄板鋼材等で構成した。しかしながら、取付部材５の材質は、必ずしもこれに限られるものではなく、導電性を有する高分子材料等で構成しても良い。即ち、制御回路基板６の動作に悪影響を及ぼす電気的ノイズを除去することができる導電性材料であれば良い。
【００５６】
また、本実施例では、手順表示（操作表示３６，方向表示４２）をボックス本体３またはボックス蓋体４の成形と同時に型枠を用いて形成した。しがしながら、手順表示を付す方法は必ずしもこれに限られるものではなく、操作手順等を印刷した合成樹脂等のシートをボックス本体やボックス蓋体に貼付するようにしても良い。
【００５７】
請求項１記載の遊技機用基板ボックスにおいて、前記回路基板には、その回路基板と他の回路基板等とを電気的に接続するコネクタが形成され、前記ボックスベースまたはボックスカバーには、前記コネクタに接続されたコードが導出される開口部が形成され、前記仕切部材は、前記開口部を閉鎖するため前記回路基板上の前記コネクタより内側位置であって、前記制御部品より外側位置に立設されるのものであることを特徴とする遊技機用基板ボックス１。この遊技機用基板ボックス１によれば、コネクタに接続されるコードは開口部から導出されるので、その回路基板と他の回路基板等とを電気的に接続することができる。また、仕切部材はボックスベースまたはボックスカバーに形成された開口部を閉鎖するとともに、回路基板上のコネクタより内側位置であって、回路基板に搭載された制御部品より外側位置に立設されているので、制御部品への接触行為を防止するとともに、制御部品への不正行為を防止することができる。
【００５８】
請求項１記載の遊技機用基板ボックス、又は、遊技機用基板ボックス１において、前記位置決め部材は、前記ボックスベースに配設され、そのボックスベースの底部へ向かうに従って隆起した傾斜面を有する傾斜部材であることを特徴とする遊技機用基板ボックス２。この遊技機用基板ボックス２によれば、回路基板をボックスベースの底部へ押し込むと、回路基板が傾斜部材の傾斜面に沿ってボックスベースの所定位置に移動するので、回路基板をボックスベースの所定位置に正確に位置決めすることができる。
【００５９】
【発明の効果】
請求項１記載の遊技機によれば、仕切部材が連結部材によってボックスカバーと制御基板との両方に対して分離不能に固定されるため、ボックスカバーを制御基板から引き離そうとしてもボックスカバー、仕切部材および制御基板の各部品間に隙間ができ難く、その隙間からの不正行為を防止することができるという効果がある。
【００６０】
また、ボックスカバー（第１係合部）より基板ボックスの内側に仕切部材の一部（仕切部側係合部）が配置され、ボックスベース（第２係合部）より基板ボックスの内側にも仕切部材の一部（カバー部側係合部）が配置されることにより、基板ボックスと仕切部材との間を介しての不正行為を一層防止することができるという効果がある。
【００６１】
更に、仕切部材は複数のコネクタに対応させて形成されたコネクタ挿通孔を有するので、コネクタの数や形状の異なる機種でも仕切部材のみを変更するだけでコネクタ周りに隙間のない不正に強い基板ボックスを製造することができ、ボックスカバーとボックスベースを複数種類の機種で兼用することができるという効果がある。
【図面の簡単な説明】
【図１】  本発明の遊技機用基板ボックスの一実施例である基板ボックスを有するボックスユニットの分解斜視図である。
【図２】  ボックスユニットの配設された遊技機の一種であるパチンコ機の裏面の部分断面図である。
【図３】  図２のＩＩＩ−ＩＩＩ線における平面部分断面図である。
【図４】  図２のＩＶ−ＩＶ線におけるボックスユニットを分解した平面断面図である。
【図５】  図３のＶ−Ｖ線におけるボックスユニットの裏面部分図である。
【図６】  ボックス本体の底部の左縁部分の拡大部分断面図である。
【図７】  図２のＶＩＩ−ＶＩＩ線における側断面図である。
【符号の説明】
１                            ボックスユニット（遊技機用基板ユニット）
２                            基板ボックス
３                            ボックス本体（ボックスベース）
４                            ボックス蓋体（ボックスカバー）
６                            制御回路基板（制御基板）
３１                          封印部材（第２封印部）
４１                          封印部材（第１封印部）
６１                          雄型コネクタ（接続用コネクタ）
６５                          仕切板（仕切部材）
６５ａ                        コネクタ穴部（コネクタ挿通口）
７１                          封印ねじ（封印具）
７４                          予備用封印ねじ（封印具）
９０                          パチンコ機（遊技機）
Ｂ１                          ねじ部材（連結部材）
【図１】
0003959802.tif 000002
【図２】
0003959802.tif 000003
【図３】
0003959802.tif 000004
【図４】
0003959802.tif 000005
【図５】
0003959802.tif 000006
【図６】
0003959802.tif 000007
【図７】
0003959802.tif 000008